(57)【要約】      （修正有）【課題】ハンドルや容器のキャップなど回転操作する物体に関して、南京錠やダイヤル錠で施錠を可能とする。【解決手段】半円筒Ａ１１と、半円筒Ａの円弧部分に接続される半円Ｂと、半円筒Ａの半円Ｂとは反対側の円弧部分に接続される内側に向いた淵Ｃと、半円筒Ｄと、半円筒Ｄの円弧部分に接続される半円Ｅ１５と、半円筒Ｄの半円Ｅとは反対側の円弧部分に接続される内側に向いた淵Ｆと、半円筒Ａの直線部分と半円筒Ｄの直線部分とを可動で、かつ半円筒Ａと半円筒Ｄが円筒を構成できるように接続するヒンジ１７と、半円筒Ａのヒンジとは反対側の直線部分に接続される穴の開いた板Ｈ１８と、半円筒Ｄのヒンジとは反対側の直線部分に接続される穴の開いた板Ｉ１９とを備え、半円筒Ａと半円筒Ｄが円筒を構成する時に、板Ｈと板Ｉの穴に南京錠やダイヤル錠を通すことによって施錠する。【選択図】図１
2016013865.tif 000002
【特許請求の範囲】
【請求項１】
半円筒Ａと、前記半円筒Ａの円弧部分に接続される半円Ｂと、前記半円筒Ａの前記半円Ｂとは反対側の円弧部分に接続される内側に向いた淵Ｃと、半円筒Ｄと、前記半円筒Ｄの円弧部分に接続される半円Ｅと、前記半円筒Ｄの前記半円Ｅとは反対側の円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続される穴の開いた板Ｈと、前記半円筒Ｄの前記ヒンジとは反対側の直線部分に接続される穴の開いた板Ｉとを備え、前記半円筒Ａと前記半円筒Ｄが円筒を構成する時に板Ｈと板Ｉの穴に南京錠やダイヤル錠を通すことによって施錠する施錠装置。
【請求項２】
半円筒Ａと、前記半円筒Ａの円弧部分に接続される半円Ｂと、前記半円筒Ａの前記半円Ｂとは反対側の円弧部分に接続される内側に向いた淵Ｃと、半円筒Ｄと、前記半円筒Ｄの円弧部分に接続される半円Ｅと、前記半円筒Ｄの前記半円Ｅとは反対側の円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続されるくびれのある板Ｈと、前記半円筒Ｄの前記ヒンジとは反対側の直線部分に接続されるくびれのある板Ｉとを備え、前記半円筒Ａと前記半円筒Ｄが円筒を構成する時に板Ｈと板Ｉのくびれに南京錠やダイヤル錠を通すことによって施錠する施錠装置。
【請求項３】
半円筒Ａと、前記半円筒Ａの円弧部分に接続される半円Ｂと、前記半円筒Ａの前記半円Ｂとは反対側の円弧部分に接続される内側に向いた淵Ｃと、半円筒Ｄと、前記半円筒Ｄの円弧部分に接続される半円Ｅと、前記半円筒Ｄの前記半円Ｅとは反対側の円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａと前記半円筒Ｄの前記ヒンジとは反対側の直線部分に接続される錠とを備え、前記半円筒Ａと前記半円筒Ｄが円筒を構成する時に前記錠をかけることによって施錠する施錠装置。
【請求項４】
請求項１に記載の施錠装置において、前記半円筒Ａと前記半円Ｂと前記淵Ｃは折り返しのある半ドーム状に一体的に成型され、前記半円筒Ｄと前記半円Ｅと前記淵Ｆは折り返しのある半ドーム状に一体的に成型されることを特徴とする施錠装置。
【請求項５】
請求項２に記載の施錠装置において、前記半円筒Ａと前記半円Ｂと前記淵Ｃは折り返しのある半ドーム状に一体的に成型され、前記半円筒Ｄと前記半円Ｅと前記淵Ｆは折り返しのある半ドーム状に一体的に成型されることを特徴とする施錠装置。
【請求項６】
請求項３に記載の施錠装置において、前記半円筒Ａと前記半円Ｂと前記淵Ｃは折り返しのある半ドーム状に一体的に成型され、前記半円筒Ｄと前記半円Ｅと前記淵Ｆは折り返しのある半ドーム状に一体的に成型されることを特徴とする施錠装置。
【請求項７】
半円筒Ａと、前記半円筒Ａの円弧部分に接続される内側に向いた淵Ｃと、半円筒Ｄと、前記半円筒Ｄの円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続される穴の開いた板Ｈと、前記半円筒Ｄの前記ヒンジとは反対側の直線部分に接続される穴の開いた板Ｉとを備え、前記半円筒Ａと前記半円筒Ｄが円筒を構成する時に板Ｈと板Ｉの穴に南京錠やダイヤル錠を通すことによって施錠する施錠装置。
【請求項８】
半円筒Ａと、前記半円筒Ａの円弧部分に接続される内側に向いた淵Ｃと、半円筒Ｄと、前記半円筒Ｄの円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続されるくびれのある板Ｈと、前記半円筒Ｄの前記ヒンジとは反対側の直線部分に接続されるくびれのある板Ｉとを備え、前記半円筒Ａと前記半円筒Ｄが円筒を構成する時に板Ｈと板Ｉの穴に南京錠やダイヤル錠を通すことによって施錠する施錠装置。
【請求項９】
半円筒Ａと、前記半円筒Ａの円弧部分に接続される内側に向いた淵Ｃと、半円筒Ｄと、前記半円筒Ｄの円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａと前記半円筒Ｄの前記ヒンジとは反対側の直線部分に接続される錠とを備え、前記半円筒Ａと前記半円筒Ｄが円筒を構成する時に前記錠をかけることによって施錠する施錠装置。
【発明の詳細な説明】
【技術分野】
【０００１】  本発明は、回転部の施錠装置に関する。
【背景技術】
【０００２】  従来、一般的にはペットボトルのフタのような回転部を南京錠やダイヤル錠で施錠するものは存在しなかった。
【先行技術文献】
【特許文献】
【０００３】
【特許文献１】特許公開２００９−２１９８０２
【発明の概要】
【発明が解決しようとする課題】
【０００４】  従来、一般的にはペットボトルのフタのような回転部を南京錠やダイヤル錠で施錠するものは存在しなかった。また鍵をつける場合でも特許文献１のように複雑な構造を要し、コストアップに繋がった。【０００５】  本発明の目的は、安価な回転部の施錠装置を提供することである。
【課題を解決するための手段】
【０００６】  上記目的を達成するために、
請求項１にかかる発明は、半円筒Ａと、前記半円筒Ａの円弧部分に接続される半円Ｂと、前記半円筒Ａの前記半円Ｂとは反対側の円弧部分に接続される内側に向いた淵Ｃと、半円筒Ｄと、前記半円筒Ｄの円弧部分に接続される半円Ｅと、前記半円筒Ｄの前記半円Ｅとは反対側の円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続される穴の開いた板Ｈと、前記半円筒Ｄの前記ヒンジとは反対側の直線部分に接続される穴の開いた板Ｉとを備え、前記半円筒Ａと前記半円筒Ｄが円筒を構成する時に板Ｈと板Ｉの穴に南京錠やダイヤル錠を通すことによって施錠することを特徴とする。【０００７】  請求項２にかかる発明は、半円筒Ａと、前記半円筒Ａの円弧部分に接続される半円Ｂと、前記半円筒Ａの前記半円Ｂとは反対側の円弧部分に接続される内側に向いた淵Ｃと、半円筒Ｄと、前記半円筒Ｄの円弧部分に接続される半円Ｅと、前記半円筒Ｄの前記半円Ｅとは反対側の円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続されるくびれのある板Ｈと、前記半円筒Ｄの前記ヒンジとは反対側の直線部分に接続されるくびれのある板Ｉとを備え、前記半円筒Ａと前記半円筒Ｄが円筒を構成する時に板Ｈと板Ｉのくびれに南京錠やダイヤル錠を通すことによって施錠することを特徴とする。【０００８】  請求項３にかかる発明は、半円筒Ａと、前記半円筒Ａの円弧部分に接続される半円Ｂと、前記半円筒Ａの前記半円Ｂとは反対側の円弧部分に接続される内側に向いた淵Ｃと、半円筒Ｄと、前記半円筒Ｄの円弧部分に接続される半円Ｅと、前記半円筒Ｄの前記半円Ｅとは反対側の円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａと前記半円筒Ｄの前記ヒンジとは反対側の直線部分に接続される錠とを備え、前記半円筒Ａと前記半円筒Ｄが円筒を構成する時に前記錠をかけることによって施錠することを特徴とする。【０００９】  請求項４にかかる発明は、請求項１に記載の施錠装置において、前記半円筒Ａと前記半円Ｂと前記淵Ｃは折り返しのある半ドーム状に一体的に成型され、前記半円筒Ｄと前記半円Ｅと前記淵Ｆは折り返しのある半ドーム状に一体的に成型されることを特徴とする。【００１０】  請求項５にかかる発明は、請求項２に記載の施錠装置において、前記半円筒Ａと前記半円Ｂと前記淵Ｃは折り返しのある半ドーム状に一体的に成型され、前記半円筒Ｄと前記半円Ｅと前記淵Ｆは折り返しのある半ドーム状に一体的に成型されることを特徴とする。【００１１】  請求項６にかかる発明は、請求項３に記載の施錠装置において、前記半円筒Ａと前記半円Ｂと前記淵Ｃは折り返しのある半ドーム状に一体的に成型され、前記半円筒Ｄと前記半円Ｅと前記淵Ｆは折り返しのある半ドーム状��一体的に成型されることを特徴とする。【００１２】  請求項７にかかる発明は、半円筒Ａと、前記半円筒Ａの円弧部分に接続される内側に向いた淵Ｃと、半円筒Ｄと、前記半円筒Ｄの円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続される穴の開いた板Ｈと、前記半円筒Ｄの前記ヒンジとは反対側の直線部分に接続される穴の開いた板Ｉとを備え、前記半円筒Ａと前記半円筒Ｄが円筒を構成する時に板Ｈと板Ｉの穴に南京錠やダイヤル錠を通すことによって施錠することを特徴とする。【００１３】  請求項８にかかる発明は、半円筒Ａと、前記半円筒Ａの円弧部分に接続される内側に向いた淵Ｃと、半円筒Ｄと、前記半円筒Ｄの円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａの前記ヒンジとは反対側の直線部分に接続されるくびれのある板Ｈと、前記半円筒Ｄの前記ヒンジとは反対側の直線部分に接続されるくびれのある板Ｉとを備え、前記半円筒Ａと前記半円筒Ｄが円筒を構成する時に板Ｈと板Ｉの穴に南京錠やダイヤル錠を通すことによって施錠することを特徴とする。【００１４】  請求項９にかかる発明は、半円筒Ａと、前記半円筒Ａの円弧部分に接続される内側に向いた淵Ｃと、半円筒Ｄと、前記半円筒Ｄの円弧部分に接続される内側に向いた淵Ｆと、前記半円筒Ａの直線部分と前記半円筒Ｄの直線部分とを可動でかつ前記半円筒Ａと前記半円筒Ｄが円筒を構成できるように接続するヒンジと、前記半円筒Ａと前記半円筒Ｄの前記ヒンジとは反対側の直線部分に接続される錠とを備え、前記半円筒Ａと前記半円筒Ｄが円筒を構成する時に前記錠をかけることによって施錠することを特徴とする。
【発明の効果】
【００１５】  請求項１・請求項２・請求項３にかかる発明によれば、触られたくない回転部分を半円筒Ａと半円筒Ｂで囲って施錠することで保護することができる。本施錠装置自体を回しても、空転するだけで回転部分に力を伝えないため対象を保護することができる。【００１６】  請求項４・請求項５・請求項６にかかる発明によれば、部品を半ドーム状に一体成型することでコストを下げることができる。また角の部分がなくなるので人体に危険が少なく、また工具を利用して破壊することが困難になる。【００１７】  請求項７・請求項８・請求項９にかかる発明によれば、触られたくない回転部分を半円筒Ａと半円筒Ｂで囲って施錠することで保護することができる。本施錠装置自体を回しても、空転するだけで回転部分に力を伝えないため対象を保護することができる。また施錠状態で円筒の形状となるので回転部分を目視することが容易である。
【図面の簡単な説明】
【００１８】
【図１】本発明の第１の実施例の斜視図である。
【図２】本発明の第１の実施例の斜視図である。
【図３】本発明の第１の実施例の上面の図である。
【図４】本発明の第１の実施例の断面図である。
【図５】本発明の第２の実施例の斜視図である。
【図６】本発明の第２の実施例の斜視図である。
【図７】本発明の第２の実施例の上面の図である。
【図８】本発明の第２の実施例の断面図である。
【図９】本発明の第３の実施例の斜視図である。
【図１０】本発明の第３の実施例の斜視図である。
【図１１】本発明の第４の実施例の斜視図である。
【図１２】本発明の第４の実施例の斜視図である。
【図１３】本発明の第４の実施例の上面の図である。
【図１４】本発明の第４の実施例の断面図である。
【図１５】本発明の第５の実施例の一部分の斜視図である。
【図１６】本発明の第６の実施例の使用例の図である。
【図１７】本発明の第７の実施例の断面図である。
【発明を実施するための形態】
【００１９】＜第１の実施例＞
図１・図２・図３・図４に本発明の第１の実施例の施錠装置の構成を示す。請求項１の実施例である。０１１は半円筒Ａ、０１２は半円Ｂ、０１３は淵Ｃ、０１４は半円筒Ｄ、０１５は半円Ｅ、０１６は淵Ｆ、０１７はヒンジ、０１８は穴の開いた板Ｈ、０１９は穴の開いた板Ｉである。
【００２０】半円筒Ａ０１１の一方の円弧部分には半円Ｂ０１２が、もう一方の円弧部分には内側に向いた淵Ｃ０１３が接続される。半円筒Ｄ０１４の一方の円弧部分には半円Ｅ０１５が、もう一方の円弧部分には内側に向いた淵Ｆ０１６が接続される。ヒンジ０１７は半円筒Ａ０１１の直線部分と半円筒Ｄ０１４の直線部分とを可動でかつ半円筒Ａ０１１と半円筒Ｄ０１４が円筒を構成できるように接続される。板Ｈ０１８は半円筒Ａ０１１のヒンジ０１７とは反対側の直線部分に接続される。板１０１９は半円筒Ｄ０１４のヒンジ０１７とは反対側の直線部分に接続される。
【００２１】保護したい回転部分を囲うように半円筒Ａ０１１と半円筒Ｄ０１４を合わせて円筒にする。保護したい対象と円筒とには隙間がある。円筒を構成している状態で板Ｈ０１８と板Ｉ０１９に開いている穴に南京錠やダイヤル錠などをかける。すると回転部分に直接触れることができなくなる。また、円筒を回しても空転するだけで力は保護対象に伝わらない。よって回転部分を施錠することができる。保護対象と円筒とには隙間があるので当施錠装置のサイズの精度は要求されない。
【発明を実施するための形態】
【００２２】＜第２の実施例＞
図５・図６・図７・図８に本発明の第２の実施例の施錠装置の構成を示す。請求項２の実施例である。０２１は半円筒Ａ、０２２は半円Ｂ、０２３は淵Ｃ、０２４は半円筒Ｄ、０２５は半円Ｅ、０２６は淵Ｆ、０２７はヒンジ、０２８はくびれのある板Ｈ、０２９はくびれのある板Ｉである。
【００２３】半円筒Ａ０２１の一方の円弧部分には半円Ｂ０２２が、もう一方の円弧部分には内側に向いた淵Ｃ０２３が接続される。半円筒Ｄ０２４の一方の円弧部分には半円Ｅ０２５が、もう一方の円弧部分には内側に向いた淵Ｆ０２６が接続される。ヒンジ０２７は半円筒Ａ０２１の直線部分と半円筒Ｄ０２４の直線部分とを可動でかつ半円筒Ａ０２１と半円筒Ｄ０２４が円筒を構成できるように接続される。板Ｈ０２８は半円筒Ａ０２１のヒンジ０２７とは反対側の直線部分に接続される。板Ｉ０２９は半円筒Ｄ０２４のヒンジ０２７とは反対側の直線部分に接続される。
【００２４】保護したい回転部分を囲うように半円筒Ａ０２１と半円筒Ｄ０２４を合わせて円筒にする。保護したい対象と円筒とには隙間がある。円筒を構成している状態で板Ｈ０２８と板Ｉ０２９にあるくびれの部分に南京錠やダイヤル錠などをかける。すると回転部分に直接触れることができなくなる。また、円筒を回しても空転するだけで力は保護対象に伝わらない。よって回転部分を施錠することができる。保護対象と円筒とには隙間があるので当施錠装置のサイズの精度は要求されない。
【発明を実施するための形態】
【００２５】＜第３の実施例＞
図９・図１０に本発明の第３の実施例の施錠装置の構成を示す。請求項３の実施例である。０３１は半円筒Ａ、０３２は半円Ｂ、０３３は淵Ｃ、０３４は半円筒Ｄ、０３５は半円Ｅ、０３６は淵Ｆ、０３７はヒンジ、０３８は錠である。
【００２６】半円筒Ａ０３１の一方の円弧部分には半円Ｂ０３２が、もう一方の円弧部分には内側に向いた淵Ｃ０３３が接続される。半円筒Ｄ０３４の一方の円弧部分には半円Ｅ０３５が、もう一方の円弧部分には内側に向いた淵Ｆ０３６が接続される。ヒンジ０３７は半円筒Ａ０３１の直線部分と半円筒Ｄ０３４の直線部分とを可動でかつ半円筒Ａ０３１と半円筒Ｄ０３４が円筒を構成できるように接続される。錠０３８は半円筒Ａ０３１と半円筒Ｄ０３４のヒンジ０３７とは反対側の直線部分に接続される。
【００２７】保護したい回転部分を囲うように半円筒Ａ０３１と半円筒Ｄ０３４を合わせて円筒にする。保護したい対象と円筒とには隙間がある。円筒を構成している状態で錠０３８をかける。すると回転部分に直接触れることができなくなる。また、円筒を回しても空転するだけで力は保護対象に伝わらない。よって回転部分を施錠することができる。保護対象と円筒とには隙間があるので当施錠装置のサイズの精度は要求されない。
【発明を実施するための形態】
【００２８】＜第４の実施例＞
図１１・図１２・図１３・図１４に本発明の第４の実施例の施錠装置の構成を示す。請求項７の実施例である。０７１は半円筒Ａ、０７３は淵Ｃ、０７４は半円筒Ｄ、０７６は淵Ｆ、０７７はヒンジ、０７８は穴の開いた板Ｈ、０７９は穴の開いた板Ｉである。
【００２９】半円筒Ａ０７１の一方の円弧部分には内側に向いた淵Ｃ０７３が接続される。半円筒Ｄ０７４の一方の円弧部分には内側に向いた淵Ｆ０７６が接続される。ヒンジ０７７は半円筒Ａ０７１の直線部分と半円筒Ｄ０７４の直線部分とを可動でかつ半円筒Ａ０７１と半円筒Ｄ０７４が円筒を構成できるように接続される。板Ｈ０７８は半円筒Ａ０７１のヒンジ０７７とは反対側の直線部分に接続される。板Ｉ０７９は半円筒Ｄ０７４のヒンジ０７７とは反対側の直線部分に接続される。半円筒Ａ０７１と半円筒Ｄ０７４の長さは半円筒Ａ０７１と半円筒Ｄ０７４で円筒を構成した時に、指や手が保護対象に届かない長さに決める。
【００３０】保護したい回転部分を囲うように半円筒Ａ０７１と半円筒Ｄ０７４を合わせて円筒にする。保護したい対象と円筒とには隙間がある。円筒を構成している状態で板Ｈ０７８と板Ｉ０７９に開いている穴に南京錠やダイヤル錠などをかける。すると回転部分に直接触れることができなくなる。また、円筒を回しても空転するだけで力は保護対象に伝わらない。よって回転部分を施錠することができる。保護対象と円筒とには隙間があるので当保護装置のサイズの精度は要求されない。また、施錠した状態でも円筒の形なので回転部分を目視することが容易である。
【発明を実施するための形態】
【００３１】＜第５の実施例＞
図１５に本発明の第５の実施例の一部分の構成を示す。請求項４の実施例である。９１１は半円筒Ａと半円Ｂと淵Ｃを折り返しのある半ドーム状に一体的に成型した部品である。一体的に成型されるのでコストを下げることができる。また角がない形なので人に安全で、かつ工具で破壊するのが困難となる。
【発明を実施するための形態】
【００３２】＜第６の実施例＞
図１６に本発明の第６の実施例の使用例を示す。９０１は施錠装置、９０２はペットボトルである。ペットボトル９０２に施錠装置９０１をかけることによって、例えば協同利用の冷蔵庫などで他人に誤飲されることを防ぐことができる。
【発明を実施するための形態】
【００３３】＜第７の実施例＞
図１７に本発明の第７の実施例の使用例の断面図を示す。９２１は施錠装置、９２２はハンドルである。ハンドル部分を囲うことで、施錠装置９２１を回しても空転して操作できなくなることで施錠できる。
【符号の説明】
【００３４】０１１：半円筒Ａ、０１２：半円Ｂ、０１３：淵Ｃ、０１４：半円筒Ｄ、０１５：半円Ｅ、０１６：淵Ｆ、０１７：ヒンジ、０１８：穴の開いた板Ｈ、０１９：穴の開いた板Ｉ、０２１：半円筒Ａ、０２２：半円Ｂ、０２３：淵Ｃ、０２４：半円筒Ｄ、０２５：半円Ｅ、０２６：淵Ｆ、０２７：ヒンジ、０２８：くびれのある板Ｈ、０２９：くびれのある板Ｉ、０３１：半円筒Ａ、０３２：半円Ｂ、０３３：淵Ｃ、０３４：半円筒Ｄ、０３５：半円Ｅ、０３６：淵Ｆ、０３７：ヒンジ、０３８：錠、
０７１：半円筒Ａ、０７３：淵Ｃ、０７４：半円筒Ｄ、０７６：淵Ｆ、０７７：ヒンジ、０７８：板Ｈ、０７９：板Ｉ
９０１：施錠装置、９０２：ペットボトル、９１１：施錠装置のドーム状に成型された部品、９２１：施錠装置、９２２：ハンドル
【図１】
2016013865.tif 000003
【図２】
2016013865.tif 000004
【図３】
2016013865.tif 000005
【図４】
2016013865.tif 000006
【図５】
2016013865.tif 000007
【図６】
2016013865.tif 000008
【図７】
2016013865.tif 000009
【図８】
2016013865.tif 000010
【図９】
2016013865.tif 000011
【図１０】
2016013865.tif 000012
【図１１】
2016013865.tif 000013
【図１２】
2016013865.tif 000014
【図１３】
2016013865.tif 000015
【図１４】
2016013865.tif 000016
【図１５】
2016013865.tif 000017
【図１６】
2016013865.tif 000018
【図１７】
2016013865.tif 000019